(57)【要約】【課題】浴槽内の洗浄水を配管を通して便器に吐水する際に、配管内で空気を巻き込んで異音や飛沫が発生することを抑制する。【解決手段】洗浄水給水システム１０は、浴槽１１と便器１３を配管１２によって連結し、浴槽１１の水を洗浄水として便器１３に給水して洗浄する。配管１２は、浴槽１１の取水口に接続された第一配管部１６及び第二の配管部１７と、第一及び第二配管部を合流させて便器に接続させた合流配管部１８とを備えた。第一配管部１６と第二配管部１７には第一ポンプ１９と第二ポンプ２０をそれぞれ設け、制御手段２３によって作動制御する。制御手段２３では、便器１３から遠い方の第一ポンプ１９を先に作動させて洗浄水が合流部付近に到達した時点で第二ポンプ２０を作動させる。【選択図】図１
2015135015.tif 000002
【特許請求の範囲】
【請求項１】
浴槽と便器を配管によって連結し、前記浴槽の水を洗浄水として前記便器に給水する洗浄水給水システムであって、
前記配管は、前記浴槽の取水口に接続された第一配管部及び第二配管部と、前記第一及び第二配管部を途中で合流させて前記便器に接続させた合流配管部とを備え、前記第一配管部と第二配管部には浴槽内の水を便器に向けて給送する第一ポンプ及び第二ポンプをそれぞれ設け、前記第一及び第二ポンプの作動を制御する制御手段を備えていて、
前記制御手段によって前記便器から遠い方の第一ポンプを先に作動させて洗浄水が前記合流配管部付近に到達した時点で前記第二ポンプを作動させるようにしたことを特徴とする洗浄水給水システム。
【請求項２】
浴槽と便器を配管によって連結し、前記浴槽の水を洗浄水として前記便器に給水する洗浄水給水システムであって、
前記配管は、前記浴槽の取水口に接続された第一配管部及び第二配管部と、前記第一配管部及び第二配管部を途中で合流させて前記便器に接続させた合流配管部とを備え、前記第一配管部及び第二配管部には浴槽内の水を便器に向けて給送する第一ポンプ及び第二ポンプをそれぞれ設け、前記合流配管部には逆止弁を設置したことを特徴とする洗浄水給水システム。
【請求項３】
浴槽と便器を配管によって連結し、前記浴槽の水を洗浄水として前記便器に給水する洗浄水給水システムであって、
前記配管は、前記浴槽の取水口に接続された第一配管部及び第二配管部と、前記第一配管部及び第二配管部を途中で合流させて前記便器に接続させた合流配管部とを備え、前記第一配管部及び第二配管部には浴槽内の水を便器に向けて給送する第一ポンプ及び第二ポンプをそれぞれ設け、前記合流配管部を開閉可能な弁体が設置され、前記第一及び第二ポンプと前記弁体の作動を制御する制御手段を備えていて、
前記弁体を閉弁させて、前記第一ポンプまたは第二ポンプにより、前記第一及び第二配管部内の気体を洗浄水によって前記浴槽内に排出した後に、前記弁体を開弁するようにしたことを特徴とする洗浄水給水システム。
【請求項４】
前記弁体は、前記第一配管部と第二配管部を連通させる閉弁位置と、前記第一及び第二配管部と合流配管部とを連通させる開弁位置とを選択的に取り得るようにした請求項３に記載された洗浄水給水システム。
【請求項５】
浴槽と便器を配管によって連結し、前記浴槽の水を洗浄水として前記便器に給水する洗浄水給水システムであって、
前記配管には、制御弁によって開閉可能な補助配管を連結し、前記配管には補助配管との接続部の上流側に第一ポンプと開閉弁を設け、前記第一ポンプの作動と前記開閉弁及び制御弁の開閉を制御する制御手段を備えていて、
前記配管の開閉弁を閉弁させると共に前記制御弁を開弁させて前記補助配管から補助水を前記配管に供給して水面を上昇させ、その後、前記第一ポンプを作動させて前記浴槽の洗浄水を前記便器に供給するようにしたことを特徴とする洗浄水給水システム。
【請求項６】
洗浄前工程における前記補助配管から配管への補助水の流量は比較的少なく、洗浄工程における前記第一ポンプによる配管内の洗浄水の流量は比較的大きく設定した請求項５に記載された洗浄水供給システム。  
【請求項７】
浴槽と便器を配管によって連結し、前記浴槽の水を洗浄水として前記便器に給水する洗浄水給水システムであって、
前記配管は前記浴槽の取水口と便器とに接続してなり、前記配管には浴槽内の水を前記便器に向けて給水する第一ポンプを設けると共に、便器側に位置していて上下方向に延びる起立部に逆止弁を設置したことを特徴とする洗浄水給水システム。
【請求項８】
前記配管の便器側に整流部を設けて通過する洗浄水や空気を整流化させるようにした請求項１から７のいずれか１項に記載された洗浄水給水システム。
【発明の詳細な説明】
【技術分野】
【０００１】
本発明は、浴槽から配管を通して便器に洗浄水を供給するようにした洗浄水給水システムに関する。
【背景技術】
【０００２】
従来、トイレの便器で使用する洗浄水を供給するシステムとして、例えば特許文献１及び２に記載されたように、浴槽内の残り湯を配管を通して便器に供給して洗浄するようにしたものが知られている。この洗浄水給水システムは、浴槽と便器を配管で接続し、浴槽内に貯留された残り湯をポンプを介して便器に供給する構成を備えている。このシステムは、入浴用の湯として使用し終えた浴槽内の残り湯を廃棄することなく、浴槽の取水口を通して便器に給水して便器内の汚物を洗浄する洗浄水として二次利用することで、水の使用量を節約して省資源に役立つ利点がある。
【０００３】
このような洗浄水給水システムにおいて、例えば、図８（ａ）〜（ｄ）に示す構成では、浴槽１と便器２を1本の配管３で接続した構成を備えている。しかも配管３は浴槽１の下側に配設された取水口に接続して上方に延びる第一配管３ａと水平方向に延びて便器２のジェット孔等に連結された第二配管３ｂとを備えており、第一配管３ａの下部には浴槽１内の残り湯を洗浄水として取り出すポンプ４が設けられている。待機状態では、第一配管３ａに浴槽１内の湯面と同一高さに洗浄水が貯留されており、ポンプ４を作動させることで配管３内を通って洗浄水が便器２に給水されて便器２内を洗浄する。
【０００４】
また、図９（ａ）〜（ｄ）に示す洗浄水給水システムでは、浴槽１の取水口が便器２に近い側と遠い側とに２つ設置され、各取水口に接続された第一配管部３ｃと第二配管部３ｄが配管３の途中で合流してなる合流配管部３ｅが便器２に接続されている。そして、第一配管部３ｃと第二配管部３ｄにはそれぞれポンプ４ａ、４ｂが設置されており、それぞれ浴槽１内の残り湯を洗浄水として配管３を流通させて便器２に給水するようにしている。
【先行技術文献】
【特許文献】
【０００５】
【特許文献１】特開２０１３−１０４２０６号公報
【特許文献２】特開２０１３−１０４２０７号公報
【発明の概要】
【発明が解決しようとする課題】
【０００６】
しかしながら、図７（ａ）〜（ｄ）に示す単一の配管３を備えた洗浄水給水システムでは、待機状態で配管３内の洗浄水の液面は浴槽１の湯面と同一レベルであるため、便器２の洗浄時にポンプ４を作動させて浴槽１内の残り湯を便器２に送り出すと、配管３内に残存する空気を巻き込んでしまい、便器２内への吐水開始時にゴボゴボと異音を発生させたり飛沫が周囲に飛んだりして、使用者に不快な印象を与えるおそれがあった。
【０００７】
また、図８（ａ）〜（ｄ）に示す２本の配管を備えた洗浄水給水システムでは、２つのポンプ４ａ、４ｂを同時に作動させると第一配管部３ｃを流れる洗浄水と第二配管部３ｄを流れる洗浄水とによって大量の空気が挟まれて第一配管部３ｃ内に閉じ込められてしまう。そして、この空気は両側の洗浄水に挟まれて圧縮された状態で合流配管部３ｅから便器２内に吐出され、水、圧縮空気、水の順に排出されるため空気を巻き込んで破裂音が発生したり、飛沫が飛散したりするため、使用者に不快感を与えたり飛沫が周囲に飛散したりする等のおそれがあった。
【０００８】
本発明は、このような課題に鑑みてなされたものであって、浴槽内の洗浄水を配管を通して便器に吐水する際に、配管内で空気を巻き込んで異音や飛沫が発生することを抑制するようにした洗浄水給水システムを提供することを目的とする。
【課題を解決するための手段】
【０００９】
本発明による洗浄水給水システムは、浴槽と便器を配管によって連結し、浴槽の水を洗浄水として便器に給水する洗浄水給水システムであって、配管は、浴槽の取水口に接続された第一配管部及び第二配管部と、第一及び第二配管部を途中で合流させて便器に接続させた合流配管部とを備え、第一配管部と第二配管部には浴槽内の水を便器に向けて給送する第一ポンプ及び第二ポンプをそれぞれ設け、第一及び第二ポンプの作動を制御する制御手段を備えていて、制御手段によって便器から遠い方の第一ポンプを先に作動させて洗浄水が合流配管部付近に到達した時点で第二ポンプを作動させるようにしたことを特徴とする。
本発明による洗浄水給水システムでは、便器の洗浄時に便器から遠い第一ポンプを先に作動させて第一配管部内を洗浄水が給水されて第二配管部と合流する合流配管部付近に至ると、第二ポンプを作動させることで第二配管部を洗浄水が給水されるため、第一及び第二配管部の合流部で各洗浄水が合流することで内部に残る空気を洗浄水で挟み込むことを極力低減でき、合流配管部を通して洗浄水で空気を押し出すことができる。そのため、配管を流れる洗浄水に空気を巻き込むことが少なく、便器への吐水時に異音や飛沫が発生することを抑制できる。しかも、待機状態において、第一及び第二配管部では浴槽内の残り湯等の水と同一レベルに洗浄水の液面が保持されるため、その下流側の配管には洗浄水が滞留しないので雑菌の繁殖を防ぐことができる。
【００１０】
本発明による洗浄水給水システムは、浴槽と便器を配管によって連結し、浴槽の水を洗浄水として便器に給水する洗浄水給水システムであって、配管は、浴槽の取水口に接続された第一配管部及び第二配管部と、第一配管部及び第二の配管部を途中で合流させて便器に接続させた合流配管部とを備え、第一配管部及び第二配管部には浴槽内の水を便器に向けて給送する第一ポンプ及び第二ポンプをそれぞれ設け、合流配管部には逆止弁を設置したことを特徴とする。
本発明によれば、待機状態では配管の合流配管部における逆止弁の上流側に洗浄水が保持されるため、便器の洗浄時に逆止弁の下流側に残る空気が少なく、洗浄水を給水することで残った少ない空気を合流配管部から便器に押し出して洗浄水を吐水できるので異音や飛沫の発生を抑制できる。
【００１１】
本発明による洗浄水給水システムは、浴槽と便器を配管によって連結し、浴槽の水を洗浄水として便器に給水する洗浄水給水システムであって、配管は、浴槽の取水口に接続された第一配管部及び第二配管部と、第一配管部及び第二配管部を途中で合流させて便器に接続させた合流配管部とを備え、第一配管部及び第二配管部には浴槽内の水を便器に向けて給送する第一ポンプ及び第二ポンプをそれぞれ設け、合流配管部を開閉可能な弁体が設置され、第一及び第二ポンプと弁体の作動を制御する制御手段を備えていて、弁体を閉弁させて、第一ポンプまたは第二ポンプにより、第一及び第二配管部内の気体を洗浄水によって浴槽内に排出した後に、弁体を開弁するようにしたことを特徴とする。
本発明によれば、便器の洗浄時に、弁体を閉弁させて、第一ポンプまたは第二ポンプにより洗浄水を給水することで、第一配管部と第二の配管部と浴槽を通って洗浄水を循環でき、配管内の気体を洗浄水によって押し出して浴槽内に排出し、その後、弁体を開弁することで第一及び第二配管部の洗浄水を合流配管部を通って便器に給水させると、洗浄水には空気が混入していないので、吐水時に異音や飛沫が発生することがない。
なお、弁体として切り換え弁や電磁弁を用いてもよい。
【００１２】
また、弁体は、第一配管部と第二配管部を連通させる閉弁位置と、第一及び第二配管部と合流配管部とを連通させる開弁位置とを選択的に取り得るようにした。
弁体の開閉によって、空気を巻き込んだ洗浄水を循環させて浴槽に空気を排出させることと空気を除去した洗浄水を便器へ排出することとを切り替え制御できる。
【００１３】
本発明による洗浄水給水システムは、浴槽と便器を配管によって連結し、浴槽の水を洗浄水として便器に給水する洗浄水給水システムであって、配管には、制御弁によって開閉可能な補助配管を連結し、配管には補助配管との接続部の上流側に第一ポンプと開閉弁を設け、第一ポンプの作動と開閉弁及び制御弁の開閉を制御する制御手段を備えていて、配管の開閉弁を閉弁させると共に制御弁を開弁させて補助配管から補助水を配管に供給して液面を上昇させ、その後、第一ポンプを作動させて浴槽の洗浄水を便器に供給するようにしたことを特徴とする。
本発明によれば、待機状態で配管の洗浄水の水面レベルは浴槽の残り湯や水等の水面と同一レベルであり、便器の洗浄時には、洗浄前工程で、配管の開閉弁を閉弁させると共に補助配管の制御弁を開弁させて補助配管から補助水を配管に供給して配管の洗浄水の水面レベルを上昇させることができ、配管内の空気を便器から押し出すことができる。その後、洗浄工程で、開閉弁を開弁させると共に制御弁を閉弁させて第一ポンプを作動させることで、洗浄水を配管を通して便器に吐水でき、その際、洗浄前工程で補助水を追加して水面レベルを押し上げてあるため配管内に残存していた空気が減少しており、吐水時における異音や飛沫の発生を低減できる。
しかも、待機状態において、配管では浴槽内の水面と同一レベルに洗浄水の水面が保持されるため、その下流側の配管には洗浄水が滞留しないので雑菌の繁殖を防ぐことができる。
【００１４】
また、洗浄前工程における補助配管から配管への補助水の流量は比較的少なく、洗浄工程における第一ポンプによる配管内の洗浄水の流量は比較的大きく設定してもよい。
洗浄前工程では、補助配管から比較的少量の補助水を配管に供給して水面レベルを上昇させて空気を巻き込むことなく配管から静かに便器に押し出し、その後、洗浄工程で、第一ポンプで比較的大量の洗浄水を配管に供給して便器に吐水することができる。  
【００１５】
本発明による洗浄水給水システムは、浴槽と便器を配管によって連結し、浴槽の水を洗浄水として便器に給水する洗浄水給水システムであって、配管は浴槽の取水口と便器とに接続してなり、配管には浴槽内の水を便器に向けて給水する第一ポンプを設けると共に、便器側に位置していて上下方向に延びる起立部に逆止弁を設置したことを特徴とする。
本発明によれば、待機状態では配管の便器側の起立部における逆止弁の上流側に洗浄水が保持されるため、便器の洗浄時に逆止弁の下流側に残る空気が少なく、洗浄水を給水することで残った少ない空気を配管の起立部から便器に押し出して洗浄水を吐水できるので異音や飛沫の発生を抑制できる。
【００１６】
また、配管の便器側に整流部を設けて通過する洗浄水や空気を整流化させるようにしてもよい。
配管の便器側に整流部を設けたから、洗浄水や空気を整流部に通すことで細分化させ、整流させた状態で便器に排出させることができる。
【発明の効果】
【００１７】
本発明による洗浄水給水システムによれば、浴槽内の洗浄水を便器に給水する際、配管内に残る空気を低減させることができ、洗浄水に空気を巻き込んで便器に吐出させることを低減または抑制して、吐水時に異音や飛沫が発生することを抑制できる。
【図面の簡単な説明】
【００１８】
【図１】（ａ）、（ｂ）、（ｃ）、（ｄ）は本発明の第一実施形態による洗浄水給水システムを示す説明図である。
【図２】（ａ）、（ｂ）は本発明の第二実施形態による洗浄水給水システムを示す説明図である。
【図３】（ａ）、（ｂ）、（ｃ）、（ｄ）は本発明の第三実施形態による洗浄水給水システムを示す説明図である。
【図４】（ａ）、（ｂ）、（ｃ）、（ｄ）は本発明の第四実施形態による洗浄水給水システムを示す説明図である。
【図５】（ａ）、（ｂ）、（ｃ）、（ｄ）は本発明の第五実施形態による洗浄水給水システムを示す説明図である。
【図６】本発明の変形例による洗浄水給水システムを示す説明図である。
【図７】本発明の他の変形例による洗浄水給水システムを示す説明図である。
【図８】（ａ）、（ｂ）、（ｃ）、（ｄ）は従来の洗浄水給水システムを示す図である。
【図９】（ａ）、（ｂ）、（ｃ）、（ｄ）は他の従来の洗浄水給水システムを示す図である。
【発明を実施するための形態】
【００１９】
以下、本発明の実施形態による洗浄水給水システムを図１乃至図５に基づいて説明する。
図１（ａ）〜（ｄ）は本発明の第一実施形態による洗浄水給水システム１０を示すものである。この洗浄水給水システム１０は、例えば住宅等において、浴槽１１内の入浴後の残り湯や水等を洗浄水として、配管１２を通して例えば洋式便器等の便器１３に供給して便器１３内の汚物を洗浄するようにしたものである。
浴槽１１は、側面の底部近傍で取水口１４ａ、１４ｂが対向する側面または隣り合う側面に設けられ、一方の取水口１４ａには配管１２の第一配管部１６が取り付けられ、他方の取水口１４ｂには第二配管部１７が取り付けられている。配管１２の第一配管部１６は上下方向に延びた後で屈曲または湾曲して水平方向に延びて略Ｌ字状に形成されており、上下方向に延びる第二配管部１７と合流して合流配管部１８として便器１３に接続されている。
なお、本明細書において、配管１２、３１における洗浄水や空気等の流体が流れる方向に沿って上流側と下流側を設定するものとし、また、浴槽１１側を上流側、便器１３側を下流側というものとする。
【００２０】
第一配管部１６と第二配管部１７は例えば浴槽１１を挟んで対向する位置に設けられ、第一配管部１６の方が第二配管部１７より便器１３から遠い位置に設置されている。そして、第一配管部１６の下側の例えば角部には、浴槽１１内の洗浄水を便器１３に給送する第一ポンプ１９が設置され、第二配管部１７の下部の例えば角部にも浴槽１１内の洗浄水を便器１３に給送する第二ポンプ２０が設置されている。
また、合流配管部１８内には、好ましくは便器１３の近傍に整流部２２が設けられている。整流部２２は例えばメッシュ状の部材からなり、整流部２２を通過する洗浄水や空気をメッシュの網目で細かく分断することで細分化させ整流化させて異音や飛沫の発生を低減できる。しかも、合流配管部１８内の便器１３の近傍に整流部２２を設置することで、整流化した洗浄水や空気が乱れる前に吐出できる。
【００２１】
また、第一及び第二ポンプ１９，２０は制御手段２３に電気的に接続されており、制御手段２３によって便器１３の洗浄時における第一及び第二ポンプ１９，２０の作動タイミングを制御するようにしている。即ち、図１（ｂ）に示すように最初に第一ポンプ１９を作動させて洗浄水を第一配管部１６内で給送させ、第二配管部１７との合流部付近に洗浄水が到達した時点で第二ポンプ２０を作動させて洗浄水を合流させるようにしている。この場合、第二ポンプ２０の作動タイミングは第一ポンプ１９の作動タイミングからの経過時間によってタイマーで設定してもよいし、或いは第一配管部１６、第二配管部１７または合流配管部１８のいずれかにおける合流部付近にセンサを設置して洗浄水を検知することで起動させてもよい。或いは、第一配管部１６内を流れる洗浄水の流量を計量して第二ポンプ２０の作動タイミングを設定してもよい。
なお、図１（ａ）〜（ｄ）において、図１（ａ）のみで制御手段２３を開示し、他の図１（ｂ）〜（ｄ）では制御手段２３を省略した。また、図２〜図５に示す他の実施形態においても同様とする。
【００２２】
本第一実施形態による洗浄水給水システム１０は上述の構成を備えているから、待機状態において、第一及び第二ポンプ１９，２０が常時開口状態にあるため、第一配管部１６と第二配管部１７内の洗浄水は浴槽１１内の残り湯や水等の水面と同一高さの液面に保持されている。そして、便器１３の図示しない操作レバーまたはボタン等を使用者が操作することによって、便器１３内の汚物を浴槽１１内の残り湯によって洗浄する。
【００２３】
即ち、操作レバーまたはボタン等の操作によって、第一ポンプ１９が作動して浴槽１１内の残り湯を洗浄水として取り出し、第一配管部１６を通して給送する。これによって、第一配管部１６内に残存する空気が合流配管部１８を通って押し出され、便器１３内に排出される。
そして、第一配管部１６内の洗浄水が第二配管部１７との合流部付近に至ると、これを検知した制御手段２３によって第二ポンプ２０を作動させて洗浄水が第二配管部１７に給送される。第二配管部１７内には浴槽１１の湯面と同一レベルまで洗浄水が存在するため、第二配管部１７内に残る空気を合流配管部１８に押し出しながら、短時間で第一配管部１６を流れる洗浄水と合流する。そして、合流した洗浄水は合流配管部１８内を流れて残存する空気を押し出しながら便器１３へ排出される。
【００２４】
この場合、第二配管部１７内の空気は、第一配管部１６内の洗浄水が第二配管部１７に到達する前に合流配管部１８に押し出されるため、第一及び第二配管部１６，１７内を流れる洗浄水で空気を挟むことなく押し出すことができる。そのため、洗浄水で空気を挟んで圧縮することなく、また空気が洗浄水と混ざり合うことを抑えて合流配管部１８から空気を押し出すことができるため、破裂音が発生したり、飛沫を含む水が吐水されたりすることを抑制できる。
しかも、合流配管部１８の便器１３側に整流部２２を設置したため、整流部２２で空気や洗浄水を整流化させて細分化した状態で便器１３に排出でき、異音や飛沫の発生を一層抑制できる。
【００２５】
上述のように、本第一実施形態による洗浄水給水システム１０によれば、浴槽１１から便器１３に洗浄水を供給する第一配管部１６と第二配管部１７の合流部で配管１２内に残存する空気を洗浄水で挟むことなく、また空気が洗浄水と混ざり合うことを抑えて、押し出すことができるため、合流配管部１８からの洗浄水の排出に際して破裂音等の異音や飛沫を含む吐水を生じることがなく、便器１３に飛沫が飛び散ったり使用者に不快感を与えたりすることを抑制できる。
しかも、配管１２内において、待機状態における洗浄水は上下方向に延びる第一及び第二配管部１６，１７内で浴槽１１の湯面と同一レベルの液面に保持されるから、この液面より下流側の第一及び第二配管部１６，１７と合流配管部１８内には便器１３までの比較的長い距離に亘って洗浄水が残留しないため、雑菌が繁殖することを抑制できる。更に、配管１２の合流配管部１８の便器１３側に整流部２２を設置したため、整流部２２を流れる空気や洗浄水を整流化させて吐出するので異音や飛沫の発生を一層抑制できる。
【００２６】
なお、本発明による洗浄水給水システムは、上述した第一実施形態に限定されるものではなく、本発明の要旨を逸脱しない範囲で適宜の変更や置換等が可能である。以下に、本発明の他の実施形態や変形例について説明するが、上述した実施形態で説明した部品や部材等と同一または同様なものについては同一の符号を用いて説明を省略する。
【００２７】
図２（ａ）、（ｂ）は本発明の第二実施形態による洗浄水給水システム１０Ａを示すものであり、本実施形態では第一実施形態による洗浄水給水システム１０と同一の基本構成を備えている。相違点として、配管１２における第一配管部１６と第二配管部１７を合流させた合流配管部２４は上下方向に垂直または傾斜して延びる起立部２４ａとその上下で水平方向に延びる逆向きの水平部２４ｂ、２４ｃとが形成された配管形状であり、その起立部２４ａには例えばボール弁等からなる逆止弁２５が設置されている。逆止弁２５を設置することで、合流配管部２４における洗浄水の浴槽１１側への逆流を防止できる。
【００２８】
そのため、第二実施形態による洗浄水給水システム１０Ａにおいて、浴槽１１内の残り湯である洗浄水は、最初の便器洗浄時に、第一配管部１６と第二配管部１７には浴槽の湯面と同一レベルに洗浄水の液面が位置しているにすぎないため、洗浄水のない配管１２の長さが長く、最初の便器洗浄時には便器１３に給送される洗浄水に空気を巻き込み易い可能性がある。
なお、最初の便器洗浄時には、第一実施形態に示すように、第一ポンプ１９を先に作動させて第一配管部１６から第二配管部１７との合流部に近接する位置に洗浄水が到達したときに第二ポンプ２０を作動させて内部の空気を洗浄水で挟まないように制御手段２３で第一及び第二ポンプ１９，２０の作動を制御することが好ましい。或いは、１回目の便器洗浄時には第一及び第二ポンプ１９，２０の作動を制御しなくてもよい。
【００２９】
しかしながら、二回目以降の便器洗浄のための給水では、図２（ａ）に示すように、待機状態で合流配管部２４における逆止弁２５の上流側や第一配管部１６と第二配管部１７に洗浄水が満たされているため、逆止弁２５の下流側の合流配管部２４に残存する空気の量が少ない。そのため、便器洗浄時に、図２（ｂ）に示すように、第一及び第二ポンプ１９，２０で配管１２の第一配管部１６と第二配管部１７に洗浄水を給送すると、合流配管部２４における逆止弁２５の下流側のわずかな空気が洗浄水に押されて便器１３に排出されるが、逆止弁２５の下流側の空気量が少ないため、洗浄水に空気が巻き込まれて便器１３への排出時に異音や飛沫を発生する可能性が極めて小さい。
【００３０】
上述のように本第二実施形態によれば、合流配管部２４に逆止弁２５を設置したことで、配管１２における逆止弁２５の上流側まで洗浄水を保持できるため、便器１３の洗浄時に配管１２から押し出す空気が少なく、洗浄水を便器１３に排出する際、洗浄水に空気を巻き込んで異音や飛沫を発生することを防止できる。しかも、便器１３の洗浄開始時に操作レバーやボタン等の操作時に第一及び第二ポンプ１９，２０を同時作動させるようにしておけば制御手段２３は不要であり、他に電気的手段を使用しないため経済的である。
【００３１】
次に図３（ａ）〜（ｄ）は本発明の第三実施形態による洗浄水給水システム１０Ｂを示すものであり、本実施形態では第一実施形態による洗浄水給水システム１０と同一の基本構成を備えている。本第三実施形態による洗浄水給水システム１０Ｂでは、配管１２は第一配管部１６と第二配管部１７とこれらの配管部１６，１７が合流して便器１３に接続された合流配管部１８とで構成されており、第一配管部１６と第二配管部１７の合流部には開弁方向を切り替え可能な切り換え弁２７が設置されている。
【００３２】
切り換え弁２７では、合流配管部１８を閉弁して第一及び第二配管部１６，１７を開弁させて互いに連通状態にする第一切り換え位置と、合流配管部１８と第一及び第二配管部１６，１７とをそれぞれ開弁させて互いに連通状態にする第二切り換え位置とを選択的に取り得るようになっている。
切り換え弁２７は、第一及び第二ポンプ１９，２０と共に制御手段２３に電気的に接続されている。制御手段２３は、便器１３の洗浄時に、切り換え弁２７の第一切り換え位置で第一ポンプ１９を作動させて、浴槽１１内の洗浄水を第一配管部１６から第二配管部１７を介して浴槽１１内に戻し、浴槽１１内に戻される洗浄水に配管１２内の空気が含まれなくなったことを、図示しないセンサ等で検知することで切り換え弁２７を第一切り換え位置から第二切り換え位置に切り替えるように制御される。
【００３３】
本第三実施形態による洗浄水給水システム１０Ｂは上述の構成を備えているから、待機状態において、図３（ａ）に示すように、第一配管部１６と第二配管部１７の上下方向に延びる部分は、浴槽１１内の湯面と同一レベルに洗浄水の液面が設定されている。しかも、合流部１８ａに設けた切り換え弁２７は第二切り換え位置にあり、第一配管部１６と第二配管部１７と合流配管部１８を開弁状態として互いに連通させている。そのため、洗浄水の液面より下流側の第一及び第二配管部１６，１７内と合流配管部１８内には空気だけが滞留している。
【００３４】
この状態から便器１３内の洗浄のために使用者が操作レバーまたはボタン等を操作すると、制御手段２３によりまず切り換え弁２７を第一切り換え位置に切り替える。そして、制御手段２３の指示信号により、第一ポンプ１９が作動して、図３（ｂ）に示すように、洗浄水が第一配管部１６内に給送され、第一配管部１６内の空気を押し出して第二配管部１７に流入させ、洗浄水中に空気の気泡を巻き込んで浴槽１１内に戻される。これによって、第一及び第二配管部１６，１７内に滞留する空気は洗浄水の循環によって浴槽１１内に押し出され、浴槽１１内で気泡として抜け出る。
【００３５】
そして、第一及び第二配管部１６，１７内の空気が抜け切ったことを第二配管部１７またはその取水口１４ｂ等に設置したセンサや第一ポンプ１９の作動時間等で検知すると、制御手段２３で切り換え弁２７が第二切り換え位置に切り替えられる。
次いで、第一及び第二ポンプ１９，２０を作動させることで、図３（ｃ）に示すように、浴槽１１内の洗浄水を第一及び第二配管部１６，１７を通して、切り換え弁２７から合流配管部１８に送りこみ、合流配管部１８内の空気を押し出して便器１３内に排出する。この場合、合流配管部１８内に滞留する空気は少量であるから、図３（ｄ）に示すように、便器１３に洗浄水を排出する際、空気の混入量はほとんどないため異音の発生がなく、静かで飛沫の少ない洗浄水を便器１３に吐水できる。
【００３６】
上述のように本第三実施形態によれば、切り換え弁２７によって第一及び第二配管部１６，１７内の空気を浴槽１１内から抜き出すことができ、便器１３には異音の発生がなく静かで飛沫の少ない洗浄水を吐水できる。しかも、待機状態で切り換え弁２７を第二切り換え位置に保持することで、配管１２内は第一及び第二配管部１６，１７の浴槽１１の湯面と同一レベルの液面より下流側と合流配管部１８には洗浄水がなく空気だけが滞留しているため、雑菌の繁殖を防ぐことができる。
【００３７】
次に図４（ａ）〜（ｄ）は本発明の第四実施形態による洗浄水給水システム１０Ｃを示すものであり、本実施形態では第三実施形態による洗浄水給水システム１０Ｂと同一の基本構成を備えており、切り換え弁２７に代えて、配管１２の合流配管部１８内に電磁弁２９が開閉切り換え可能に設置されている。電磁弁２９は制御手段２３に電気的に接続されている。
【００３８】
本実施形態においても、第三実施形態と同様に、図４（ａ）に示す待機状態では電磁弁２９は開状態に保持されている。そして、便器１３内の洗浄のために使用者が操作レバーまたはボタン等を操作すると、図４（ｂ）に示すように、制御手段２３によりまず電磁弁２９が閉弁位置に切り替えられて合流配管部１８が閉弁され、しかも第一ポンプ１９が作動して浴槽１１内の洗浄水を第一配管部１６内に供給して第一及び第二配管部１６、１７内の空気を押し出し、第二配管部１７を洗浄水が循環して浴槽１１内に戻される。これによって、第一及び第二配管部１６、１７内の空気が気泡となって浴槽１１内に抜ける。
【００３９】
そして、第一及び第二配管部１６，１７内の空気が抜け切ったことを第二配管部１７またはその取水口１４ｂ等に設置したセンサや第一ポンプ１９の作動時間等で検知すると、制御手段２３で電磁弁２９を開弁位置に切り替える。
次いで、第一及び第二ポンプ１９，２０を作動させることで、図４（ｃ）に示すように、浴槽１１内の洗浄水を第一及び第二配管部１６，１７を通して、電磁弁２９から合流配管部１８に送りこみ、合流配管部１８内の空気を押し出して便器１３内に排出する。この場合も、合流配管部１８内の空気は少量であるから、図４（ｄ）に示すように、便器１３に洗浄水を排出する際、空気の混入はほとんどないため異音の発生がなく、静かで飛沫の少ない洗浄水を便器１３に吐水できる。
【００４０】
上述のように本第四実施形態によれば、第三実施形態と同様に、電磁弁２９の閉弁によって第一及び第二配管部１６，１７内の空気を浴槽１１内から抜き出すことができ、その後、便器１３には異音の発生がなく静かで飛沫の少ない洗浄水を吐水できる。しかも、待機状態で電磁弁２９を開弁位置に保持することで、配管１２内は第一及び第二配管部１６，１７の浴槽１１の湯面と同一レベルの液面より下流側と合流配管部１８に洗浄水がなく空気だけが滞留しているため、雑菌の繁殖を防ぐことができる。
【００４１】
次に本発明の第五実施形態による洗浄水給水システム１０Ｄを図５（ａ）〜（ｄ）により説明する。
本第五実施形態による洗浄水給水システム１０Ｄは、１本の配管３１が設置されており、浴槽１１の取水口１４ａから短く延びた位置から上下方向に延びる起立部３１ａと便器１３に接続された水平部３１ｂとで略Ｌ字状に設けられている。配管３１の上下方向に延びる起立部３１ａの下端部には開口状態に保持される第一ポンプ１９が設置され、その下流側近傍には開弁状態に保持される他の電磁弁３２が開閉弁として設置されている。配管３１の起立部３１ａには浴槽１１の湯面と同一レベルの液面を有する残り湯が洗浄水として保持されていて、電磁弁３２は常態で洗浄水の水面下に位置している。
【００４２】
そして、配管３１の起立部３１ａにおける電磁弁３２の下流側には補助水として例えば上水を供給可能な補助配管３３が接続されており、この補助配管３３には開閉可能な制御弁３４が設置されている。制御手段２３には第一ポンプ１９と電磁弁３２と制御弁３４が電気的に接続されており、便器１３内の洗浄のために使用者が操作レバーまたはボタン等を操作すると補助配管３３の制御弁３４を開弁すると共に電磁弁３２を閉弁する。
これによって、配管３１の起立部３１ａ内に上水を供給して、洗浄水の液面をより上方の水平部３１ｂとの境界レベルに至らせることで、配管３１内に残留する空気の一部を押し出して便器１３から排出する。そして、制御弁３４の閉弁と電磁弁３２の開弁への切り換えは、タイマーによって時間でタイミグを設定してもよいし、或いは配管３１の水平部３１ｂから上水が便器１３内に流れることをセンサーで検知すること等で行うようにしてもよい。
【００４３】
本第五実施形態による洗浄水給水システム１０Ｄは上述の構成を備えているから、待機状態で、図５（ａ）に示す配管３１の起立部３１ａ内の洗浄水は浴槽１１の湯面と同一レベルに保持されており、配管３１における起立部３１ａの洗浄水の液面より上方と水平部３１ｂ内には水がなく、雑菌の繁殖を抑制できる。
そして、便器１３内の洗浄のために使用者が操作レバーまたはボタンを操作すると、制御手段２３でその信号を検知して、電磁弁３２を閉弁すると共に補助配管３３の制御弁３４を開弁する。これによって、図５（ｂ）に示すように、洗浄前工程として配管３１の起立部３１ａ内に上水が供給されて洗浄水の液面より上方に上水が溜まり、配管３１の起立部３１ａの液面が水平部３１ｂとの境界レベルになるまで上水が貯留される。すると、上水によって配管３１内に残留する空気の一部を押し出して便器１３から排出する。また、補助配管３３を通した上水供給開始から所定時間経過後、或いは上水が水平部３１ｂから便器１３内に排出されたことをセンサで検知することで制御弁３４が閉弁し、電磁弁３２が開弁する。
【００４４】
次に、図５（ｃ）、（ｄ）に示すように、洗浄工程として、第一ポンプ１９を作動させることで浴槽１１内の残り湯を洗浄水として上水を押して配管３１の起立部３１ａから水平部３１ｂに給水し、水平部３１ｂに残留する空気を押し出して上水と洗浄水を便器１３に排出して、便器１３を洗浄する。これによって、水平部３１ｂ内に残る空気は洗浄水に押し出されて整流部２２を通って便器１３内に排出される。このとき、水平部３１ｂから便器１３に押し出される空気は上水供給によって減少しているため、破裂音等の異音が抑制される。また、上水や残り湯の洗浄水は配管３１の水平部３１ｂから整流部２２を通過して整流されて排出されるため、乱流にならず吐水飛沫等が抑制される。
【００４５】
なお、便器１３の洗浄時に、洗浄前工程では、比較的少量の上水を配管３１の起立部３１ａに流して上水を溜め、洗浄工程では、便器１３の汚物を洗浄するために通常の大流量を配管３１に流すように設定することが好ましい。或いは、洗浄前工程と洗浄工程とで同程度の水量を配管３１に流してもよい。
【００４６】
上述のように本第五実施形態によれば、待機状態では配管３１内の洗浄水は浴槽１１の残り湯の湯面と同一レベルにあるから、残りの配管３１内には水がなく雑菌の繁殖を防止できる。そして、便器１３の洗浄時には、洗浄前工程として、補助配管３３から上水を供給して配管３１内の液面のレベルを起立部３１ａの上端まで押し上げるため、配管３１内の空気をある程度排出できる。
【００４７】
その後、洗浄工程として、第一ポンプ１９によって洗浄水を便器１３に給水する際、上水で水面が上昇した分だけ配管３１内に残る空気量が減少しているため、配管３１の水平部３１ｂから便器１３に洗浄水を吐水する際、上水や洗浄水で押し出される空気の巻き込みによる異音の発生を抑制でき、しかも整流部２２を通って洗浄水を整流化させて水平部３１ｂから排出するため飛沫の発生を抑制して吐水できる。
しかも、便器１３の洗浄時に配管３１内に上水を流すことで配管３１や便器１３を洗浄できる。
【００４８】
次に、第一実施形態の変形例による洗浄水給水システム１０Ｅを図６によって説明する。
図６に示す変形例による洗浄水給水システム１０Ｅでは、浴槽１１と便器１３を接続する配管１２として、第一配管部１６、第二配管部１７、そして合流配管部１８の一部が浴槽１１の下側に設置されている。そして、合流配管部１８は便器１３の直前で上方に起立するように配設したので、配管１２が空間のスペースをほとんど占有せず邪魔にならない。また、第一配管部１６及び第二配管部１７にそれぞれ第一ポンプ１９と第二ポンプ２０を設置した。
なお、他の実施形態においても、このような第一配管部１６、第二配管部１７、そして合流配管部１８、２４の配置構成を採用してもよい。
【００４９】
次に、第二実施形態の変形例として、洗浄水給水システム１０Ｆを図７によって説明する。
洗浄水給水システム１０Ｆは、第五実施形態と同様に１本の配管３６によって浴槽１１の取水口１４ａと便器１３とを連結して、浴槽１１内の残り湯等の洗浄水を便器１３に給水して洗浄するようにしている。この配管３６は、取水口１４ａに接続されていて第一ポンプ１９を備えた第一配管部１６ａと、更に垂直または傾斜して延びる起立部３７ａ及びその上下に設けた水平部３７ｂ、３７ｃを備えて一端を便器１３に接続させた出口側配管部３７と、を備えている。この出口側配管部３７の起立部３７ａには逆止弁２５が設置されている。
本変形例においても、第五実施形態と同様に、二回目以降の便器洗浄時には配管３６における逆止弁２５の上流側に洗浄水が満たされ且つ下流側に空気が滞留している。そのため、洗浄時に第一ポンプ１９で給水される洗浄水によって押し出される逆止弁２５の下流側の空気が少なく、洗浄水の吐水時に洗浄水によって押し出される少量の空気を巻き込んだ異音や飛沫の発生を抑制できる。
【００５０】
なお、上述した第三、第四実施形態において、切り換え弁２７または電磁弁２９で合流配管部１８を閉弁させた状態で、便器１３から遠い位置の第一配管部１６の第一ポンプ１９を作動させて洗浄水を第一配管部１６から第二配管部１７を介して浴槽１１に戻すようにしたが、これとは逆に第二ポンプ２０を作動させて第二配管部１７から第一配管部１６を介して浴槽１１に戻して空気を排出させるようにしてもよい。
【００５１】
また、上述した第五実施形態において、洗浄前工程で、補助水として上水を配管３１内に流して液面を上昇させるようにしたが、上水に代えて浴槽１１の残り湯を洗浄水として用いてもよい。この場合、配管３１における電磁弁３２の前後をバイパスさせてバイパス管路を補助配管として設け、バイパス管路に制御弁３４を設置すればよい。電磁弁３２と制御弁３４とを選択的に開閉することで、洗浄前工程における補助水の供給と洗浄工程における洗浄水の供給を選択的に行える。
また、上述した各実施形態には、配管１２、３１における便器１３の近傍位置に整流部２２を設置して洗浄水や空気の整流化を促進させたが、整流部２２は必ずしも設置しなくてもよい。
【符号の説明】
【００５２】
１０、１０Ａ、１０Ｂ、１０Ｃ、１０Ｄ、１０Ｅ、１０Ｆ  洗浄水給水システム
１１  浴槽
１２、３１  配管
１３  便器
１６  第一配管部
１７  第二配管部
１８、２４  合流配管部
１９  第一ポンプ
２０  第二ポンプ
２２  整流部
２４ａ、３１ａ  起立部
２３  制御手段
２５  逆止弁
２７  切り換え弁
２９  電磁弁
３１ｂ  水平部
３２  電磁弁
３３  補助配管
３４  制御弁
３６  出口側配管部
【図１】
2015135015.tif 000003
【図２】
2015135015.tif 000004
【図３】
2015135015.tif 000005
【図４】
2015135015.tif 000006
【図５】
2015135015.tif 000007
【図６】
2015135015.tif 000008
【図７】
2015135015.tif 000009
【図８】
2015135015.tif 000010
【図９】
2015135015.tif 000011